(57)【要約】【課題】  撮影時のズーム／ワイド、あるいは映像の動きによって生じた画面内の映像の拡大／縮小に合わせて容易に表示の拡縮を行う。【解決手段】  携帯端末において、撮像画像の縮小映像が表示されている状態で（ステップＳ１０）、キー入力部１０１で数字キーが押下されると、数字キーに対応する領域が抽出され（ステップＳ１４）、撮像画像と同じ解像度で画面の一部が切り出されて表示部１０３に表示される（ステップＳ１６）。次に、制御部１０４は、表示画面のカラーヒストグラムより背景が白色、あるいは、指定した映像が存在しない部分である空白領域を抽出し（ステップＳ１８）、そこに、画面上に撮像画像の一部分を表示している旨のマークを表示する（ステップＳ２０）。【選択図】  図２
2006154164.tif 000002
【特許請求の範囲】
【請求項１】
動画再生機能を有する携帯端末であって、
動画を再生する再生手段と、
複数のキーが配置されたキー入力手段と、
前記複数のキーの配置に対応させて複数の領域に仮想的に分割された画面を有し、前記再生手段により再生された動画を表示する表示手段と、
前記表示手段に動画が再生表示されているときに、前記キー入力手段のいずれかのキーが操作されると、撮像画像と同じ解像度で、前記操作されたキーに対応した領域の撮像画像の一部を前記表示手段に全画面表示する表示制御手段と
を具備することを特徴とする携帯端末。
【請求項２】
前記表示制御手段は、
前記表示手段に全画面表示されている撮像画像から背景が白色の領域、あるいは、映像が存在しない部分である空白領域を抽出する抽出手段を具備し、
前記抽出手段により抽出された領域に撮像画像の一部分を表示していることを示す情報を表示することを特徴とする請求項１記載の携帯端末。
【請求項３】
前記抽出手段は、
前記表示手段に全画面表示されている撮像画像のヒストグラムを生成し、該ヒストグラムに基づいて、背景が白色の領域、あるいは、映像が存在しない部分である空白領域を抽出することを特徴とする請求項２記載の携帯端末。
【請求項４】
前記表示制御手段は、
前記表示手段に全画面表示されている撮像画像の第１のヒストグラムを生成する第１ヒストグラム生成手段と、
撮像画像全体の第２のヒストグラムを生成する第２ヒストグラム生成手段と、
前記第１のヒストグラムと前記第２のヒストグラムとを比較し、前記撮像画像全体における、前記表示手段に全画面表示されている撮像画像の位置を特定する位置特定手段とを具備し、
前記位置特定手段により特定された位置の撮像画像を前記表示手段に全画面表示することを特徴とする請求項１記載の携帯端末。
【請求項５】
前記第２ヒストグラム生成手段は、前記表示手段に全画面表示されている撮像画像が存在した領域と同じ領域の近傍における撮像画像の第２のヒストグラムを生成することを特徴とする請求項４記載の携帯端末。
【請求項６】
動画を再生するための動画再生方法であって、
複数のキーの配置に対応させて複数の領域に仮想的に分割された画面で、動画が再生表示されているときに、前記複数のキーのいずれかのキーが操作されると、撮像画像と同じ解像度で、前記操作されたキーに対応した領域の撮像画像の一部を全画面表示することを特徴とする動画再生方法。
【請求項７】
前記全画面表示されている撮像画像から背景が白色の領域、あるいは、映像が存在しない部分である空白領域を抽出し、抽出された領域に撮像画像の一部分を表示していることを示す情報を表示することを特徴とする請求項６記載の動画再生方法。
【請求項８】
前記全画面表示されている撮像画像のヒストグラムを生成し、該ヒストグラムに基づいて、背景が白色の領域、あるいは、映像が存在しない部分である空白領域を抽出することを特徴とする請求項７記載の動画再生方法。
【請求項９】
前記全画面表示されている撮像画像の第１のヒストグラムを生成し、撮像画像全体または前記全画面表示されている撮像画像が存在した領域と同じ領域の近傍における撮像画像の第２のヒストグラムを生成し、前記第１のヒストグラムと前記第２のヒストグラムとを比較し、前記撮像画像全体における、前記全画面表示されている撮像画像の位置を特定し、該特定された位置の撮像画像を全画面表示することを特徴とする請求項６記載の動画再生方法。
【発明の詳細な説明】
【技術分野】
【０００１】
本発明は、動画の再生機能を搭載した携帯端末および動画再生方法に関する。
【背景技術】
【０００２】
従来、携帯端末には、動画再生の機能が盛り込まれており、さらに見やすくするために拡大機能が設けられてある。ここで、拡大した際に画面上のボリュームマークや拡大表示中である旨のマークが重なってしまうのを防ぐため、ユーザが所望する拡大率へ１つの操作で対応させる技術が知られている（例えば特許文献１参照）。また、物体が移動している動画の再生中において、拡大表示した際に拡大範囲をすばやく移動させたり、また、動画一時停止時には極め細かく移動させたりする技術が知られている（例えば特許文献２参照）。
【特許文献１】特開２００２−３５４４０１号公報、図１
【特許文献２】特開２００４−７２６８４号公報、図２
【発明の開示】
【発明が解決しようとする課題】
【０００３】
しかしながら、上記従来の携帯端末では、一旦拡大を行うと、操作者の操作が無い場合には、拡大率が一定となってしまう。このため、例えば、対象となる撮像画像を撮影する際にズーム処理があった場合には、ズーム前には適切な拡大率であったのに、ズーム後には拡大表示を行いたい物体の一部分の拡大映像となってしまうので、操作者が拡大範囲を手動で変える必要があり、操作が煩雑になるという問題があった。
【０００４】
また、映像中の物体を拡大表示している時に、被写体が移動した際には、一旦、ワイドに切り換えて被写体を捕らえ、再び、拡大したりするなど、操作者が拡大範囲を手動で移動させる必要があり、操作が煩雑になるという問題があった。
【０００５】
そこで本発明は、撮影時のズーム／ワイド、あるいは映像の動きによって生じた画面内の映像の拡大／縮小に合わせて容易に表示の拡縮を行うことができる携帯端末および動画再生方法を提供することを目的とする。
【課題を解決するための手段】
【０００６】
上記目的達成のため、請求項１記載の発明による携帯端末は、動画再生機能を有する携帯端末であって、動画を再生する再生手段と、複数のキーが配置されたキー入力手段と、前記複数のキーの配置に対応させて複数の領域に仮想的に分割された画面を有し、前記再生手段により再生された動画を表示する表示手段と、前記表示手段に動画が再生表示されているときに、前記キー入力手段のいずれかのキーが操作されると、撮像画像と同じ解像度で、前記操作されたキーに対応した領域の撮像画像の一部を前記表示手段に全画面表示する表示制御手段とを具備することを特徴とする。
【０００７】
また、好ましい態様として、例えば請求項２記載のように、請求項１記載の携帯端末において、前記表示制御手段は、前記表示手段に全画面表示されている撮像画像から背景が白色の領域、あるいは、映像が存在しない部分である空白領域を抽出する抽出手段を具備し、前記抽出手段により抽出された領域に撮像画像の一部分を表示していることを示す情報を表示するようにしてもよい。
【０００８】
また、好ましい態様として、例えば請求項３記載のように、請求項２記載の携帯端末において、前記抽出手段は、前記表示手段に全画面表示されている撮像画像のヒストグラムを生成し、該ヒストグラムに基づいて、背景が白色の領域、あるいは、映像が存在しない部分である空白領域を抽出するようにしてもよい。
【０００９】
また、好ましい態様として、例えば請求項４記載のように、請求項１記載の携帯端末において、前記表示制御手段は、前記表示手段に全画面表示されている撮像画像の第１のヒストグラムを生成する第１ヒストグラム生成手段と、撮像画像全体の第２のヒストグラムを生成する第２ヒストグラム生成手段と、前記第１のヒストグラムと前記第２のヒストグラムとを比較し、前記撮像画像全体における、前記表示手段に全画面表示されている撮像画像の位置を特定する位置特定手段とを具備し、前記位置特定手段により特定された位置の撮像画像を前記表示手段に全画面表示するようにしてもよい。
【００１０】
また、好ましい態様として、例えば請求項５記載のように、請求項４記載の携帯端末において、前記第２ヒストグラム生成手段は、前記表示手段に全画面表示されている撮像画像が存在した領域と同じ領域の近傍における撮像画像の第２のヒストグラムを生成するようにしてもよい。
【００１１】
また、上記目的達成のため、請求項６記載の発明による動画再生方法は、動画を再生するための動画再生方法であって、複数のキーの配置に対応させて複数の領域に仮想的に分割された画面で、動画が再生表示されているときに、前記複数のキーのいずれかのキーが操作されると、撮像画像と同じ解像度で、前記操作されたキーに対応した領域の撮像画像の一部を全画面表示することを特徴とする。
【００１２】
また、好ましい態様として、例えば請求項７記載のように、請求項６記載の動画再生方法において、前記全画面表示されている撮像画像から背景が白色の領域、あるいは、映像が存在しない部分である空白領域を抽出し、抽出された領域に撮像画像の一部分を表示していることを示す情報を表示するようにしてもよい。
【００１３】
また、好ましい態様として、例えば請求項８記載のように、請求項７記載の動画再生方法において、前記全画面表示されている撮像画像のヒストグラムを生成し、該ヒストグラムに基づいて、背景が白色の領域、あるいは、映像が存在しない部分である空白領域を抽出するようにしてもよい。
【００１４】
また、好ましい態様として、例えば請求項９記載のように、請求項６記載の動画再生方法において、前記全画面表示されている撮像画像の第１のヒストグラムを生成し、撮像画像全体または前記全画面表示されている撮像画像が存在した領域と同じ領域の近傍における撮像画像の第２のヒストグラムを生成し、前記第１のヒストグラムと前記第２のヒストグラムとを比較し、前記撮像画像全体における、前記全画面表示されている撮像画像の位置を特定し、該特定された位置の撮像画像を全画面表示するようにしてもよい。
【発明の効果】
【００１５】
請求項１記載の発明によれば、再生手段により動画が前記表示手段に再生表示されているときに、前記キー入力手段のいずれかのキーが操作されると、表示制御手段により、撮像画像と同じ解像度で、前記操作されたキーに対応した領域の撮像画像の一部を前記表示手段に全画面表示するようにしたので、撮影時のズーム／ワイド、あるいは映像の動きによって生じた画面内の映像の拡大／縮小に合わせて容易に表示の拡縮を行うことができるという利点が得られる。
【００１６】
また、請求項２記載の発明によれば、抽出手段により、前記表示手段に全画面表示されている撮像画像から背景が白色の領域、あるいは、映像が存在しない部分である空白領域を抽出し、抽出された領域に撮像画像の一部分を表示していることを示す情報を表示するようにしたので、撮影時のズーム／ワイド、あるいは映像の動きによって生じた画面内の映像の拡大／縮小に合わせて容易に表示の拡縮を行うことができるという利点が得られる。
【００１７】
また、請求項３記載の発明によれば、前記抽出手段により、前記表示手段に全画面表示されている撮像画像のヒストグラムを生成し、該ヒストグラムに基づいて、背景が白色の領域、あるいは、映像が存在しない部分である空白領域を抽出するようにしたので、撮影時のズーム／ワイド、あるいは映像の動きによって生じた画面内の映像の拡大／縮小に合わせて容易に表示の拡縮を行うことができるという利点が得られる。
【００１８】
また、請求項４記載の発明によれば、第１ヒストグラム生成手段により、前記表示手段に全画面表示されている撮像画像の第１のヒストグラムを生成し、第２ヒストグラム生成手段により、撮像画像全体の第２のヒストグラムを生成し、位置特定手段により、前記第１のヒストグラムと前記第２のヒストグラムとを比較し、前記撮像画像全体における、前記表示手段に全画面表示されている撮像画像の位置を特定し、特定された位置の撮像画像を前記表示手段に全画面表示するようにしたので、撮影時のズーム／ワイド、あるいは映像の動きによって生じた画面内の映像の拡大／縮小に合わせて容易に表示の拡縮を行うことができるという利点が得られる。
【００１９】
また、請求項５記載によれば、前記第２ヒストグラム生成手段により、前記表示手段に全画面表示されている撮像画像が存在した領域と同じ領域の近傍における撮像画像の第２のヒストグラムを生成するようにしたので、撮影時のズーム／ワイド、あるいは映像の動きによって生じた画面内の映像の拡大／縮小に合わせて容易に表示の拡縮を行うことができるという利点が得られる。
【００２０】
また、請求項６記載の発明によれば、複数のキーの配置に対応させて複数の領域に仮想的に分割された画面で、動画が再生表示されているときに、前記複数のキーのいずれかのキーが操作されると、撮像画像と同じ解像度で、前記操作されたキーに対応した領域の撮像画像の一部を全画面表示するようにしたので、撮影時のズーム／ワイド、あるいは映像の動きによって生じた画面内の映像の拡大／縮小に合わせて容易に表示の拡縮を行うことができるという利点が得られる。
【００２１】
また、請求項７記載によれば、前記全画面表示されている撮像画像から背景が白色の領域、あるいは、映像が存在しない部分である空白領域を抽出し、抽出された領域に撮像画像の一部分を表示していることを示す情報を表示するようにしたので、撮影時のズーム／ワイド、あるいは映像の動きによって生じた画面内の映像の拡大／縮小に合わせて容易に表示の拡縮を行うことができるという利点が得られる。
【００２２】
また、請求項８記載の発明によれば、前記全画面表示されている撮像画像のヒストグラムを生成し、該ヒストグラムに基づいて、背景が白色の領域、あるいは、映像が存在しない部分である空白領域を抽出するようにしたので、撮影時のズーム／ワイド、あるいは映像の動きによって生じた画面内の映像の拡大／縮小に合わせて容易に表示の拡縮を行うことができるという利点が得られる。
【００２３】
また、請求項９記載の発明によれば、前記全画面表示されている撮像画像の第１のヒストグラムを生成し、撮像画像全体または前記全画面表示されている撮像画像が存在した領域と同じ領域の近傍における撮像画像の第２のヒストグラムを生成し、前記第１のヒストグラムと前記第２のヒストグラムとを比較し、前記撮像画像全体における、前記全画面表示されている撮像画像の位置を特定し、該特定された位置の撮像画像を全画面表示するようにしたので、撮影時のズーム／ワイド、あるいは映像の動きによって生じた画面内の映像の拡大／縮小に合わせて容易に表示の拡縮を行うことができるという利点が得られる。
【発明を実施するための最良の形態】
【００２４】
以下、本発明の実施の形態を、図面を参照して説明する。
Ａ．第１実施形態
Ａ−１．第１実施形態の構成
図１は、本発明の第１実施形態による携帯端末の構成を示すブロック図である。図において、携帯端末は、再生や拡大などの指示を入力するキー入力部１０１、圧縮された動画のデコード処理を行うデコード部１０２、動画などを表示する表示部１０３、端末内部状態の管理やキー押下時の制御やデコード後の画面中の空白領域を判断する制御部１０４から構成されている。また、携帯端末は、撮像画像を記憶しておくための記憶部１０４か、撮像画像を携帯端末外部から取得するための通信部１０５のうち、少なくともどちらかを備えている。
【００２５】
Ａ−２．第１実施形態の動作（非縮小機能）
次に、図２は、本第１実施形態による携帯端末の動作を説明するためのフローチャートである。また、図３は、実際の撮像画像及び表示部１０３に表示される画面の遷移を示す模式図である。図４および図５は、拡大を指定する際のキー配置と画面の分割を説明するための模式図である。
【００２６】
まず、実際の撮像画像は、図３（ａ）に示す撮像画像３０１のように、ハイビジョンクラス（横１９２０ドット、縦１０８０ドット）やＶＧＡ（横６４０ドット、縦４８０ドット）等であり、表示部１０３の表示可能ドットは、図３（ａ）に示す画面３０２のように、ＱＶＧＡ（横３２０ドット、縦２４０ドット）とする。このとき、実際の撮像画像がＶＧＡの場合には、縦２ドット、及び横２ドットの平均値を算出して縦１ドット、横１ドットとして、表示部１０３に表示することにより、縮小映像が表示可能である。
【００２７】
また、図４（ｂ）に示すように、キー入力部１０１には、撮像画像と同じ解像度で画面の一部を切り出す機能が数字キー１、３、７、９と割り当てられてある。この際、図４（ａ）のように画面上を４分割して、左上の領域４０１は数字の１キー、右上の領域４０２は数字の３キー、左下の領域４０３は数字の７キー、右下の領域４０４は数字の９キーと、視覚的に分かり易いキー割り当てとする。ここで、数字の７キーが押された場合は、縮小表示ではなく、領域４０３のみをそのままの大きさで表示する。なお、本実施形態では、撮像画像と同じ解像度で画面の一部を切り出す機能と説明するが、撮像画像の一部分を抽出して、液晶などの表示画面一杯に表示する機能としても良い。
【００２８】
まず、現在動画を再生できる端末において、図３（ａ）に示すように、画面３０２の縮小映像が表示されている（ステップＳ１０）。ここで、撮像画像と同じ解像度で画面の一部を切り出す機能に割り当てられた数字の７キーが押下される（ステップＳ１２）。すると制御部１０４により領域４０３が抽出され（ステップＳ１４）、表示部１０３には、図３（ｂ）に示すように、撮像画像３０３（ＶＧＡ：横６４０ドット、縦４８０ドット）と同じ解像度で画面の一部が切り出され、画面３０４として表示される（ステップＳ１６）。
【００２９】
次に、制御部１０４は、表示画面のカラーヒストグラムより背景が白色、あるいは、指定した映像が存在しない部分である空白領域を抽出し（ステップＳ１８）、そこに、図３（ｂ）に示すように、画面上に撮像画像の一部分を表示している旨のマーク３０５を表示する（ステップＳ２０）。
【００３０】
これにより、ユーザは、現在、撮像画像の一部分が表示されているのを容易に認識できる。なお、画面上に撮像画像の一部分を表示している旨のマークは、最初の数秒間表示されてその後は消去されても良いし、同位置に描画され続けても良いし、画像は動画なので空白領域は随時更新されるので、数秒に１回空白領域を抽出し直して、描画領域を更新しても良い。このとき、画面上に撮像画像の一部分を表示している旨のマーク３０５を、電解強度や時計などを表示しているピクト領域に表示しても良い。
【００３１】
なお、撮像画像と同じ解像度で画面の一部を切り出す機能のキー割り当ては、図５のように、画面上を９分割して、左上の領域５０１は数字の１キー、中央上の領域５０２は数字の２キーと、キー配列と同様の配置に割り当てても良い。このときは、実際の撮像画像がそのまま表示されるのではなく、指定領域が拡大されて表示部１０３に表示される。
【００３２】
また、指定された矩形領域のみではなく、指定領域内をヒストグラム等で代表映像の抽出を行い、さらに近隣の領域をヒストグラム解析することで、１つの領域を抽出し、その領域を拡大、あるいは、縮小して、表示画面最大に表示するようにしても良い。図５において、領域５０３が指定された場合には、領域５０２、及び領域５０６と同一の映像とすることにより、走っている人が抽出され、図３（ｃ）の画面３０６ようにその領域を表示画面最大に表示する。
【００３３】
さらに、筐体が折り畳み可能であり、折り畳まない状態で動画が表示されるメイン表示部と、折り畳んだ状態で使用できる別のサブ表示部とを備える携帯端末において、折り畳む前にメイン表示部にて動画が画面３０４で表示されている状態において、筐体が折り畳まれた場合には、サブ表示部に継続して動画が画面３０４で描画されても良い。ここでは、メイン表示部とサブ表示部との大きさは異なっても良いし、同じであっても良い。また、通常、メイン表示部とサブ表示部とは異なるサイズなので、折り畳む前にメイン表示部にて動画が画面３０４で表示されている状態において、筐体が折り畳まれた場合には、メイン表示部とサブ表示部との解像度の比率分だけ縮小して、サブ表示部に表示するようにしても良い。表示部は、液晶表示デバイスや有機ＥＬデバイス等の表示デバイスを用いることができる。
【００３４】
上述した第１実施形態によれば、簡易な操作で、撮像画像と同じ解像度で画面の一部を切り出して表示することができ、かつ、画面上に撮像画像の一部分を表示していることが容易に判断できるマークを表示することにより、動画の表示方法が、ユーザが所望するものに容易に変更することができ、利便性を向上させることができる。なお、撮像画像、表示部等の解像度やサイズは、本実施形態によって限定されるものではない。
【００３５】
Ｂ．第２実施形態
次に、本発明の第２実施形態について説明する。本第２実施形態では、動画再生中の指定エリア内の映像を自動追尾する。図６は、本第２実施形態による携帯端末の動作を説明するためのフローチャートである。図７は、実際の撮像画像および表示部１０３に表示される画面の遷移を示す模式図であり、図８は、画面中の縦方向および横方向のカラーヒストグラムである。
【００３６】
図７（ａ）において、まず、実際の撮像画像３０３から、第１実施形態の手法を用いて表示したものを画面３０４とする。すなわち、画面３０４には、撮像画像３０３と同じ解像度で画面の一部を切り出した映像が表示されている。このとき、撮影時にカメラの向きが移動するか、あるいは、撮影映像が移動すると、実際の撮像画像は、図７（ｂ）に示す撮像画像７０３のように生成される。本第２実施形態では、図７（ｂ）に示す撮像画像７０３において、撮像画像３０３で選択した領域が移動した場合でも、選択領域の被写体の移動に追随して、描画映像を画面一杯に継続して表示する手法を提供する。
【００３７】
まず、画面３０４において縦方向、及び、横方向のカラーヒストグラムを生成すると、図８に示すように、ヒストグラム８０１、８０２が得られる（ステップＳ３０）。ここで、図８中には、１つのヒストグラムを示しているが、実際は、ＲＧＢ（Ｒｅｄ，Ｇｒｅｅｎ，Ｂｌｕｅ）、あるいは、ＹＵＶ（Ｙ：輝度、Ｕ（Ｃｂ），Ｖ（Ｃｒ）：色差）の各々の値などから作成される３つのヒストグラムを用いても良い。
【００３８】
その後、図７（ｂ）に示すように、撮影時にカメラの向きが移動した、あるいは、撮影映像が移動した実際の撮像画像７０３においても、画面全体、あるいは、元の表示していた領域付近において、カラーヒストグラムを生成する（ステップＳ３２）。そして、ヒストグラム８０１、８０２と撮像画像７０３のカラーヒストグラム（図示略）との比較を行う（ステップＳ３４）。そして、ある閾値以上の場所に映像が移動したと判断し、映像の位置を特定し（ステップＳ３６）、その領域を、実際の撮像画像から切り取ったのみの通常のサイズで映像を表示する（ステップＳ３８）。その結果、図７（ｂ）に示すように、撮像画像７０３において、画面３０４で選択された対象映像を抽出することで、画面７０４の如く、所望の映像の表示が維持できる。
【００３９】
なお、上記カラーヒストグラムによる特定は処理量が大きいため、縦方向の探索により該当が無い場合には横方向の探索は行わないか、あるいは、数フレームに１回のみ行うなどの処理量削減を行うことが好ましい。また、画面中の映像検索には、上記カラーヒストグラムで説明したが、画面を２値化した際のヒストグラムを用いるか、あるいは、画面に表示されている画像自体を用いてパターンマッチングを行っても良い。
【００４０】
さらには、実際の撮像画像がＭＰＥＧ（Ｍｏｖｉｎｇ  Ｐｉｃｔｕｒｅ  Ｅｘｐｅｒｔｓ  Ｇｒｏｕｐ）のように画像の圧縮が行われている場合には、撮像画像は、Ｉピクチャ（Ｉｎｔｒａ−Ｐｉｃｔｕｒｅ：静止画としての圧縮がされる画面。自画面内の情報のみで圧縮し，時間的に前後する他の画面の相関情報を用いない。）や、Ｐピクチャ（Ｐｒｅｄｉｃｔｉｖｅ−Ｐｉｃｔｕｒｅ：時間的に過去の画面からの相関情報で表わされる画面。参照する画面はＩピクチャでもＰピクチャでも良く，情報量はＩピクチャよりも少なくなる）などで構成されている。ここで、Ｐピクチャは、前の画面との相関情報なので、実際の撮像画像中のＰピクチャ位置を検出することにより、所望の映像の位置を算出しても良い。
【００４１】
上述した第２実施形態によれば、映像中の被写体を拡大表示している時に、被写体が移動した際にも、操作者が無用な操作を要せずに、画面上に被写体を拡大して表示することが可能となる。
【００４２】
Ｃ．第３実施形態
次に、本発明の第３実施形態について説明する。本第３実施形態では、上述した第２実施形態の説明に用いた図６ないし図９を用いて、カメラのズーム／ワイド、映像の動きによって生じた画面内の映像の拡大／縮小に合わせて、表示の自動拡縮を行うことについて説明する。図９は、第３実施形態における、実際の撮像画像の縦方向、及び横方向のカラーヒストグラムである。
【００４３】
図７（ａ）においては、画面３０４の如く、実際の撮像画像３０３と同じ解像度で画面の一部を切り出した映像が表示されている。ここで、撮影時にカメラがズーム、あるいは、ワイドになった場合、あるいは、撮影映像がカメラの方に移動、あるいは、カメラから遠い方向に移動した場合などは、実際の撮像画像３０３が、図７（ｃ）に示す撮影画像７０５のように生成される。
【００４４】
まず、第２実施形態と同様に、画面３０４において、図８に示すカラーヒストグラムが得られる。次に、図７（ｃ）に示す、実際の撮像画像７０５に対してヒストグラムを生成すると、図９に示すヒストグラム９０１、９０２が得られる（ステップＳ３２）。次に、ステップＳ３４において、縦方向の比較を行う際に、ヒストグラム８０１の縦方向の比率を変えながら、ヒストグラム９０１と比較を行う。ある比率において、ある閾値以上存在する場合には、次に、同様の比率をヒストグラム８０２の横方向に適用して、ヒストグラム９０２と横方向の比較を行う。ここで、ある閾値以上の場所が存在する場合には、そこに映像が存在すると判断し（ステップＳ３６）、その領域に対して、画面一杯に映像を表示する（ステップＳ３８）。
【００４５】
なお、前提となる映像の特定手段は、第１実施形態にて説明したカラーヒストグラムより導き出した領域にしても良いし、現在表示されている画面全体を対象としても良いし、現在の画面の中央に表示されている映像としても良い。
【００４６】
上述した第３実施形態によれば、カメラのズーム／ワイド、あるいは映像の動きによって生じた画面内の映像の移動や拡大、縮小に合わせて、操作者が無用な操作を要せずに、表示の自動拡縮を行うことが可能な携帯端末が提供できる。
【００４７】
また、撮影シーンが変更するとき、すなわちカメラカット時にも、常時、第２実施形態の如く、図６のフローチャートを継続して実行する。この場合、ステップＳ３４において、ヒストグラムの比較を行った際に、ある閾値以上の場所が検出できないので、映像が次フレーム内には存在しないと判断し、通常のサイズで動画を表示する。
【００４８】
また、テレビ放送、特にスポーツ中継などにおいては、通常は、広角用とズーム用の複数のカメラを用いて撮影し、撮影された複数の撮影データの中から、放送したい映像のみを時間的に選択して放送されていたため、複数のカメラが必要であった。そこで、カメラ１台により広角撮影を行い、得られた撮影データを、第１実施形態における図３に示す実際の撮像画像と考え、第１実施形態の如く、ある一部を選択し、その矩形領域のみを放送することが考えられる。さらに、放送対象である矩形領域内の映像が移動した際には、第２実施形態の如く、自動的に移動映像を検出し、その矩形領域を放送すると良い。
【図面の簡単な説明】
【００４９】
【図１】本発明の第１実施形態による携帯端末の構成を示すブロック図である。
【図２】本第１実施形態による携帯端末の動作を説明するためのフローチャートである。
【図３】実際の撮像画像、及び、表示部１０３に表示される画面の遷移を示す模式図である。
【図４】拡大を指定する際のキー配置と画面の分割を説明するための模式図である。
【図５】拡大を指定する際のキー配置と画面の分割を説明するための模式図である。
【図６】本第２実施形態による携帯端末の動作を説明するためのフローチャートである。
【図７】実際の撮像画像および表示部１０３に表示される画面の遷移を示す模式図である。
【図８】画面中の縦方向および横方向のカラーヒストグラムである。
【図９】第３実施形態における、実際の撮像画像の縦方向、及び横方向のカラーヒストグラムである。
【符号の説明】
【００５０】
１０１  キー入力部（キー入力手段）
１０２  デコード部（再生手段）
１０３  表示部（表示手段）
１０４  制御部（再生手段、表示制御手段、抽出手段、第１ヒストグラム生成手段、第２ヒストグラム生成手段、位置特定手段）
１０５  記憶部
１０６  通信部
【図１】
2006154164.tif 000003
【図２】
2006154164.tif 000004
【図３】
2006154164.tif 000005
【図４】
2006154164.tif 000006
【図５】
2006154164.tif 000007
【図６】
2006154164.tif 000008
【図７】
2006154164.tif 000009
【図８】
2006154164.tif 000010
【図９】
2006154164.tif 000011